(57)【要約】      （修正有）【課題】歩行や走り時のエクササイズ効果を高める際にも、両足の筋肉にバランス良く負荷がかかり、効率的にエクササイズ効果を高めることができること。【解決手段】接地面の爪先側に立ち上がり部２Ｓを設けた靴底２であって、靴底の踵端Ｓ１から爪先端Ｓ２までの距離をＬとして、踵端Ｓ１から立ち上がり部２Ｓの基点位置Ａまでの距離をＬａとしたときに、Ｌａ／Ｌを０．５５〜０．６１（０．５８±０．０３）にしたことで。立ち上がり部２Ｓの基点位置Ａを母趾球部に対応する位置より後方側に設けた。【選択図】図１
2012170746.tif 000002
【特許請求の範囲】
【請求項１】
接地面の爪先側に立ち上がり部を設けた靴底であって、
当該靴底の踵端から爪先端までの距離をＬとして、前記踵端から前記立ち上がり部の基点位置までの距離をＬａとしたときに、Ｌａ／Ｌを０．５５〜０．６１（０．５８±０．０３）にしたことを特徴とする靴底。
【請求項２】
接地面の爪先側に立ち上がり部を設けた靴底であって、
前記立ち上がり部の基点位置を母趾球部に対応する位置より後方側に設けたことを特徴とする靴底。
【請求項３】
前記立ち上がり部の基点位置は、前記靴底の踵側の接地面を基準平面上に接地した状態で、前記基準平面から前記靴底の爪先側の接地面が離れる位置であることを特徴とする請求項１又は２記載の靴底。
【請求項４】
前記基準平面から前記爪先端までの高さを２０〜３０ｍｍとしたことを特徴とする請求項１〜３のいずれかに記載された靴底。
【請求項５】
前記接地面の踵端側に湾曲部を設け、前記踵端から当該湾曲部の湾曲基点位置までの距離をＬｂとすると、Ｌｂ／Ｌを０．０７〜０．１３とし、
前記湾曲基点位置から前記立ち上がり部の基点位置までを実質的に平面としたことを特徴とする請求項１記載の靴底。
【請求項６】
請求項１〜５のいずれかに記載された靴底とアッパーとを備えた履物。
【発明の詳細な説明】
【技術分野】
【０００１】
本発明は、靴底及びその靴底を備えた履物に関するものである。
【背景技術】
【０００２】
ウォーキングシューズ、スポーツシューズ、トレーニングシューズ、ビジネスシューズ、スポーツサンダルなどの履物、特に、使用者の健康促進を目的にした歩きや走りに適した履物には、合成樹脂製の靴底の爪先側に立ち上げ部を設けたものが知られている。例えば、下記特許文献１には、脚のストレッチや爪先の蹴りだし運動をスムーズにするために、踵側接地面の延長線に対して、爪先側接地面が足の母趾球部に対応する踏付部を基点として上方に約２３°傾斜し、且つ靴底の上面に対応して湾曲形状に靴底を形成したスポーツシューズが示されている。
【先行技術文献】
【特許文献】
【０００３】
【特許文献１】特開２００２−６５３１０号公報
【発明の概要】
【発明が解決しようとする課題】
【０００４】
前述した従来技術に係る靴底は、爪先側接地面の立ち上がりが足の母趾球部に対応する踏付部を基点にしている。これは、靴底の形状を足裏の屈曲形状に合わせることを目的にしており、足裏の屈曲が足指の付け根の関節部で行われることから、これに合わせて靴底の爪先側接地面の立ち上がり基点を前述したように足裏の踏付部に対応させている。統計的にみると、母趾球部（親指の付け根部）の位置は、足の全長の約６８％の位置にあることが知られており、靴底の爪先側接地面の立ち上がり基点は、従来の靴底ではこの位置に合わせて形成されている。
【０００５】
また、爪先側接地面に立ち上がり部を設けた前述した従来技術では、使用者の歩行や走りの際に、後側になる足で爪先側接地面が地面に付くことになり、前側に踏み出す足は寧ろ踵側が積極的に接地するように設計されている。そして、従来技術は、後方になる足の踵が上がるときに爪先側接地面が地面を蹴ってその足を前方に送ることで歩行や走りをスムーズにしている。
【０００６】
しかしながら、この従来技術では、使用者の歩行や走り時の移動力（ロコモーション）を専ら後側になる足の蹴りに頼らざるを得ず、歩行や走り時のエクササイズ効果を高めるために大きな移動力を得ようとすると、片足の筋肉（脹ら脛）に大きな負荷がかかる問題があった。また、従来技術では、前側になる足の踏み返し時に踵側に載った体重を爪先側に移動させるのに足関節や趾の関節に負荷がかかり易く、足関節や趾に障害が起こりやすくなる問題があった。
【０００７】
本発明は、このような問題に対処することを課題の一例とするものである。すなわち、歩行や走り時のエクササイズ効果を高める際にも、両足の筋肉にバランス良く負荷がかかり、効率的にエクササイズ効果を高めることができること、具体的には、速歩の際にも足への負荷を軽減することができること、前側になる足の踏み返しを補助して移動力を得やすくすること、速歩等の高負荷歩行や走り時にも足関節や趾への負荷を軽減することができること、等が本発明の目的である。
【課題を解決するための手段】
【０００８】
このような目的を達成するために、本発明による靴底及びこの靴底を備えた履物は、以下の構成を少なくとも具備するものである。
【０００９】
接地面の爪先側に立ち上がり部を設けた靴底であって、当該靴底の踵端から爪先端までの距離をＬとして、前記踵端から前記立ち上がり部の基点位置までの距離をＬａとしたときに、Ｌａ／Ｌを０．５５〜０．６１（０．５８±０．０３）にしたことを特徴とする。
【００１０】
接地面の爪先側に立ち上がり部を設けた靴底であって、前記立ち上がり部の基点位置を母趾球部に対応する位置より後方側に設けたことを特徴とする。
【発明の効果】
【００１１】
このような特徴を有することで、本発明の靴底及びこの靴底を備えた履物は、接地面の爪先側に形成される立ち上がり部の基点位置を母趾球部（踏付部）に対応する位置より後方側に設定しているので、歩行又は走り時に前方に踏み出された足は、踵側が接地した後に速やかに爪先側が接地することになり、立ち上がり部の傾斜を利用した移動力が生じることになる。これによって、後側になる足の蹴りだけでなく、前側になる足の効果的な踏み返しによって移動力が生じることになるので、歩行や走り時のエクササイズ効果を高める際にも、両足の筋肉にバランス良く負荷がかかり、効率的にエクササイズ効果を高めることができる。また、前側になる足の踏み返しは、立ち上がり部の傾斜を利用した重心移動によって補助されるので、移動力が得やすく、速歩等の高負荷歩行や走り時にも足関節や趾への負荷を軽減することができる。
【図面の簡単な説明】
【００１２】
【図１】本発明の一実施形態に係る靴底及び履物を示した説明図である。同図（ａ）が側面図、同図（ｂ）が背面図を示している。
【図２】本発明の実施形態に係る靴底或いは履物の機能を示した説明図である。同図（ａ）が歩行又は走り時の前側になる足の動きを示しており、同図（ｂ）が歩行又は走り時の後側になる足の動きを示している。
【発明を実施するための形態】
【００１３】
以下、図面を参照しながら本発明の実施形態を説明する。図１は本発明の一実施形態に係る靴底及び履物を示した説明図である。同図（ａ）が側面図、同図（ｂ）が背面図を示している。履物１は、靴底（ソール）２とアッパー３とを備えている。靴底２は合成樹脂製の成形体或いは革などで形成することができ、アッパー３は、ウォーキングシューズ、スポーツシューズ、トレーニングシューズ、ビジネスシューズ、スポーツサンダルなどの履物の形態に応じて、合成樹脂、布、革などで形成することができる。
【００１４】
靴底２は、接地面（爪先側接地面２ａと踵側接地面２ｂ）を有している。図示の例では、爪先側接地面２ａと踵側接地面２ｂが分離しているが、これに限らず、爪先側接地面２ａと踵側接地面２ｂが連続的に繋がっているものであってもよい。そして、靴底２は爪先側に立ち上がり部２Ｓを設けている。立ち上がり部２Ｓは爪先側接地面２ａの一部から上方に立ち上がった部位であり、立ち上がり部２Ｓ全体が曲面で形成されていても、平面で形成されていてもよい。
【００１５】
本発明の実施形態では、立ち上がり部２Ｓの基点位置Ａを、靴底２の踵側接地面２ｂを基準平面Ｈ上に接地した状態で、基準平面Ｈから靴底２の爪先側接地面２ａが離れる位置と定義する。ここでの位置とは、靴底の全長Ｌを規定する平行な踵端Ｓ１の接線と爪先端Ｓ２の接線に対して平行な線によって規定される。
【００１６】
そして、本発明の実施形態に係る靴底２は、靴底２の踵端Ｓ１から爪先端Ｓ２までの距離（靴底２の全長）をＬとして、踵端Ｓ１から立ち上がり部２Ｓの基点位置Ａまでの距離をＬａとしたときに、Ｌａ／Ｌを０．５５〜０．６１（０．５８±０．０３）にしている。Ｌａ／Ｌ＝０．５８±０．０３は最も好ましい範囲であり、それよりやや広いＬａ／Ｌ＝０．５８±０．０５程度の範囲であっても後述する同様の機能を得ることができる。
【００１７】
本発明の実施形態に係る靴底２の一つの特徴としては、立ち上がり部２Ｓの基点位置Ａを足の母趾球部に対応する位置より後方側に設けたことにある。従来の靴底では、踵端から立ち上がり部の基点位置Ａ’までの距離Ｌｅが０．６８Ｌ程度であり、ほぼ足の母趾球部付近が立ち上がり部の基点位置Ａ’になっていた。これに対して本発明の実施形態に係る靴底２は、靴底２の接地面全体に対する立ち上がり部２Ｓの範囲が従来の靴底より大きくなっている。
【００１８】
前述した基準平面Ｈから爪先端Ｓ２までの高さＨ１は、後述する移動力の補助効果をどの程度にするかで任意に設定可能である。効果的に移動力の補助効果を得るためには、高さＨ１を２０〜３０ｍｍとすることが好ましい。
【００１９】
また、本発明の実施形態に係る靴底２は、必要に応じて踵側接地面２ｂに湾曲部２ｃを設けてもよい。踵端Ｓ１側に湾曲部２ｃを設けることで、歩行又は走り時に踵端Ｓ１から靴底２を接地する際に円滑な接地が可能であり、踵側接地面２ｂから爪先側接地面２ａに移動する足の動きをスムーズに行うことが可能になる。効果的な足の動きを得るためには、踵端Ｓ１から湾曲部２ｃの湾曲基点位置Ｂまでの距離をＬｂとすると、Ｌｂ／Ｌを０．０７〜０．１３（０．１０±０．０３）程度にすることが好ましい。また、湾曲基点位置Ｂから立ち上がり部２Ｓの基点位置Ａまでを実質的に平面にすることで、平面な接地面から立ち上がり部２Ｓに移行するタイミングを適宜に設定でき、後述するような移動力補助の発揮タイミングを任意に設定することができる。
【００２０】
図２は、本発明の実施形態に係る靴底或いは履物の機能を示した説明図である。同図（ａ）が歩行又は走り時の前側になる足の動きを示しており、同図（ｂ）が歩行又は走り時の後側になる足の動きを示している。本発明の実施形態に係る靴底２及び履物１は特に歩行又は走り時の前側になる足の動きに特徴がある。本発明の実施形態に係る靴底２は、立ち上がり部２Ｓの基点位置Ａが踵側にシフトしているので、歩行又は走り時に前側になる足の踵側接地面２ｂを地面Ｇに接地させた後、僅かな前方への重心移動で立ち上がり部２Ｓが地面Ｇに接地する状態（図２（ａ）の一点破線参照）になる。この際には、図２（ａ）に矢印で示すように、前側になる足の立ち上がり部２Ｓが地面Ｇに接地するに伴って前側になる足の踵が地面Ｇから離れることになり、この足の動きによって歩行又は走っている人の重心位置が前側にシフトし易くなり、これによって移動力の補助効果が得られる。
【００２１】
また、図２（ａ）の矢印に示したような足の動きで、前側になる足の踏み返し動作が行われることになるが、この踏み返し動作が立ち上がり部２Ｓの傾斜を利用した重心移動によって補助されるので、移動力が得やすくなる。この踏み返し動作の補助機能は立ち上がり部２Ｓの傾斜角度が大きいほど大きな効果を得ることができるが、これも立ち上がり部２Ｓの基点位置Ａが踵側にシフトしているからこそ得ることができる効果である。
【００２２】
そして、歩行又は走り時の後側になる足の動きは、図２（ｂ）に矢印で示すように、後側になる足の踵が上がるときに爪先側接地面２ａが地面を蹴ってその足を前方に送ることで歩行又は走りの移動力を得ている。この際、図２（ａ）に示す矢印の動きと図２（ｂ）に示す矢印の動き、すなわち、前側になる足の踏み返し動作と後側になる足の地面を蹴る動作がほぼ同時に行われることになり、両足の筋肉にバランス良く負荷がかかることになる。これによって、速歩や速度を速めた走りによってエクササイズ効果を高める際にも、両足の筋肉にバランス良く負荷がかかり、効率的にエクササイズ効果を高めることができる。
【００２３】
また、基点位置Ａを踵側にシフトした立ち上がり部２Ｓの傾斜によって前側になる足の踏み返し動作が補助されるので、速歩等の高負荷歩行や走り時にも足関節や趾への負荷を軽減することができ、歩行や走り時の過負荷で生じる足関節や趾の障害を抑止することが可能になる。
【００２４】
以上、本発明の実施の形態について図面を参照して詳述してきたが、具体的な構成はこれらの実施の形態に限られるものではなく、本発明の要旨を逸脱しない範囲の設計の変更等があっても本発明に含まれる。本発明の靴底２又は履物１は、ウォーキングシューズ，ランニングシューズ，スポーツサンダルなどでより高い効果を得ることができるが、これらに特に限定されるものではない。
【符号の説明】
【００２５】
１：履物，２：靴底，３：アッパー，
２ａ：爪先側接地面，２ｂ：踵側接地面，２ｃ：湾曲部，
２Ｓ：立ち上がり部，
Ｓ１：踵端，Ｓ２：爪先端，
Ａ：立ち上がり部の基点位置，Ａ’：従来の靴底の立ち上がり位置の基点位置，
Ｂ：湾曲部の湾曲基点位置
【図１】
2012170746.tif 000003
【図２】
2012170746.tif 000004